(57)【要約】【課題】  組み立てに際して、側面パネルの取り付けを作業員が室内側において行うことができるユニットハウスの側面パネルの取り付け構造を提供する。【解決手段】  床フレーム１１とその四隅に立設された柱フレーム１２とその上端を四隅として柱フレームに載置された屋根フレーム１３とを骨組みとし、床フレーム１１と屋根フレーム１３との間に側面パネル１７が取り付けられるユニットハウス１の側面パネル１７の取り付け構造であって、床フレーム１１の少なくとも一辺の外側面に、帯フック１６が設けられ、床フレーム１１の少なくとも一辺に対応する屋根フレームの辺に、側面パネル上端固定部が形成され、床フレーム１１の矩形の前記少なくとも一辺と、当該一辺に対応する屋根フレーム１３の辺との間に取り付けられる側面パネル１７は、下端に横長フランジ１７２を備え、横長フランジが帯フック１６に係止され、側面パネル１７の上端部が側面パネル上端固定部に固定される。【選択図】  図７
2020139349.tif 000002
【特許請求の範囲】
【請求項１】
矩形の床フレームと前記床フレームの四隅に立設された柱フレームと前記柱フレームの上端を四隅として前記柱フレームに載置された屋根フレームとを骨組みとし、前記床フレームと前記屋根フレームとの間に側面パネルが取り付けられるユニットハウスの側面パネルの取り付け構造であって、
前記矩形の床フレームの少なくとも一辺の外側面に、側面パネル下端係止具が設けられ、
前記床フレームの前記少なくとも一辺に対応する屋根フレームの辺に、側面パネル上端固定部が形成され、
前記床フレームの矩形の前記少なくとも一辺と、当該一辺に対応する屋根フレームの辺との間に取り付けられる側面パネルは、下端部から下向きに幅に沿って形成されたフランジを備え、
前記フランジが前記側面パネル下端係止具に係止され、
前記側面パネルの上端部が前記側面パネル上端固定部に固定されることを特徴とするユニットハウスの側面パネルの取り付け構造。
【請求項２】
請求項１に記載のユニットハウスの側面パネルの取り付け構造において、
前記側面パネルは、
前記床フレームの前記少なくとも一辺に前記パネル部が載設されることを特徴とするユニットハウスの側面パネルの取り付け構造。
【請求項３】
請求項１に記載のユニットハウスの側面パネルの取り付け構造において、
前記側面パネル下端係止具は、前記フランジを係止する嵌挿部を有することを特徴とするユニットハウスの側面パネルの取り付け構造。
【請求項４】
請求項１に記載のユニットハウスの側面パネルの取り付け構造において、
前記側面パネル下端係止具は、前記側面パネルごとに、複数設けられることを特徴とするユニットハウスの側面パネルの取り付け構造。
【請求項５】
請求項１に記載のユニットハウスの側面パネルの取り付け構造において、
ユニットハウスの四つの外側面のうち前記側面パネルが取り付けられてなる外側面は、前記柱フレーム間に取り付けられた、少なくとも１枚の前記側面パネルと、少なくとも１枚の側面パネル見切り材とを備えた
ことを特徴とするユニットハウスの側面パネルの取り付け構造。
【請求項６】
請求項１に記載のユニットハウスの側面パネルの取り付け構造において、
前記側面パネルの上端は、前記側面パネル上端固定部において室内側からのボルト締結により固定されることを特徴とするユニットハウスの側面パネルの取り付け構造。
【請求項７】
請求項１に記載のユニットハウスの側面パネルの取り付け構造において、
前記フランジには複数の組み付け孔が設けられ、前記床フレームの外面には前記組み付け孔に対応する位置にボルト孔が設けられていることを特徴とするユニットハウスの側面パネルの取り付け構造。
【発明の詳細な説明】
【技術分野】
【０００１】
本発明は、ユニットハウスを組み立てる際に、側面パネルの取り付けを作業員が完成途中のユニットハウスの室内側において行うことができるユニットハウス組み立て技術に関し、たとえば体育館・展示場等の大空間建物の内壁面に近接して容易に組み立てることができるユニットハウスの側面パネルの取り付け構造に関するものである。
【背景技術】
【０００２】
図１０，図１１は、ユニットハウス９を体育館の内壁面Ｗ１，Ｗ２に近づけて組み立てる場合の従来技術の説明図である。
（ａ）  図１０（Ａ）に示すように内壁面Ｗ１から所定距離を隔てて床フレーム９１（床フレーム要素９１１，９１２，９１３，９１４からなる）を設置する。
これにより、内壁面Ｗ１と床フレーム要素９１１との間および内壁面Ｗ２と床フレーム要素９１４との間に作業領域ＷＡ（内壁面Ｗ１，Ｗ２との距離ｓ１）がそれぞれ確保される。この作業領域ＷＡを確保することで、ユニットハウス９の外側から、後述するように、側面パネル９７を床フレーム要素９１１と屋根フレーム要素９３１との間に取り付けることができるし床フレーム要素９１４と屋根フレーム要素９３４との間に取り付けることができる。たとえば、距離ｓ１として少なくとも６０ｃｍが見込まれる。
（ｂ）  図１０（Ｂ）に示すように床フレーム９１に床パネル９１５を取り付ける。
（ｃ）  図１０（Ｃ）に示すように床フレーム９１の四隅に柱フレーム９２（柱フレーム要素９２１，９２２，９２３，９２４からなる）を立設する。柱フレーム要素９２１，９２２，９２３，９２４は、床フレーム９１にボルトにより取り付けられる。この取り付け作業は、完成途中のユニットハウスの室外側と室内側のうち作業が容易な側から行われる。なお、室外側のうち内壁面Ｗ１，Ｗ２に面する側では、作業領域ＷＡが確保されているので上記の取り付け作業が可能となる。
（ｄ）  図１０（Ｄ）に示すように、柱フレーム要素９２１，９２２，９２３，９２４の上端を四隅とする屋根フレーム９３（屋根フレーム要素９３１，９３２，９３３，９３４からなる）を柱フレーム９２（柱フレーム要素９２１，９２２，９２３，９２４）上に載置した後、天井材９３５を取り付ける。この取り付け作業も、完成途中のユニットハウスの室外側と室内側のうち作業が容易な側から行われる。
（ｅ）  図１１（Ａ）は、完成途中のユニットハウスの室外側から側面パネル９７の取り付け状態を見た図であり、図１１（Ｂ）は完成途中のユニットハウスの室内側から側面パネル９７の取り付け状態を見た図である。
【０００３】
側面パネル９７の下部は完成途中のユニットハウスの室外側（作業領域ＷＡ側）から、側面パネル９７の上部は完成途中のユニットハウスの室内側から、それぞれボルト締結される。
図１２に、完成したユニットハウス９を示す。なお、ユニットハウス９では、側面パネル９７として、壁面パネル９７０１のほか、窓ユニット組み込みパネル９７０２、ドアユニット組み込みパネル９７０３が使用されている。
【発明の概要】
【発明が解決しようとする課題】
【０００４】
上述したように、ユニットハウス９の組み立てにおいては、体育館の内壁面Ｗ１，Ｗ２との間に作業領域ＷＡを確保しなくてはならないため、体育館内の利用空間が狭くなるという問題がある。
本発明の目的は、ユニットハウスを組み立てる際に、側面パネルの取り付けを完成途中のユニットハウスの室内側において行うことができる当該ユニットハウス組み立て技術を提供することであり、より具体的には、体育館・展示場等の大空間建物の内壁面に近接した組み立てが容易なユニットハウスの側面パネルの取り付け構造を提供することである。
【課題を解決するための手段】
【０００５】
本発明は、以下を要旨とする。
（１）
矩形の床フレームと前記床フレームの四隅に立設された柱フレームと前記柱フレームの上端を四隅として前記柱フレームに載置された屋根フレームとを骨組みとし、前記床フレームと前記屋根フレームとの間に側面パネルが取り付けられるユニットハウスの側面パネルの取り付け構造であって、
前記矩形の床フレームの少なくとも一辺の外側面に、側面パネル下端係止具が設けられ、
前記床フレームの前記少なくとも一辺に対応する屋根フレームの辺に、側面パネル上端固定部が形成され、
前記床フレームの矩形の前記少なくとも一辺と、当該一辺に対応する屋根フレームの辺との間に取り付けられる側面パネルは、下端部から下向きに幅に沿って形成されたフランジを備え、
前記フランジが前記側面パネル下端係止具に係止され、
前記側面パネルの上端部が前記側面パネル上端固定部に固定されることを特徴とするユニットハウスの側面パネルの取り付け構造。
本発明のユニットハウスの側面パネルの取り付け構造では、組み立てに際して、側面パネルの取り付けを完成途中のユニットハウスの室内側から行うことができるもので、特に、ユニットハウスを体育館・展示場等の大空間建物の内壁面に近接して組み立てることに好適である。また、本発明のユニットハウスの側面パネルの取り付け構造では、体育館・展示場等の大空間建物の内壁面に限らず、当該大空間建物の建築物の外壁面に近接して組み立てることにも好適である。
本発明のユニットハウスの側面パネルの取り付け構造では、床フレーム、柱フレーム、屋根フレームのすべてを金属から構成することもできる。また、床フレーム、柱フレーム、屋根フレームの全部または一部を金属以外の硬質材料（強化プラスチック等）で構成することもできる。
側面パネルの下端部から下向きに幅に沿って形成されたフランジは、典型的には横長に形成される。
また、側面パネル下端係止具も金属により構成することができるし金属以外の硬質材料により構成することもできる。
柱フレームは管材により構成することもできるし、平板材、Ｌ字に折り曲げた板材などを組み合わせて構成することもできる。
側面パネルは、具体的には、ユニットハウスの通常の壁面を構成する壁面パネルのほか、窓ユニット組み込みパネル、ドアユニット組み込みパネル、空調機組み込みパネル、換気扇組み込みパネル等、種々の機能を有するパネルである。
（２）
（１）に記載のユニットハウスの側面パネルの取り付け構造において、
前記側面パネルは、
前記床フレームの前記少なくとも一辺に前記パネル部が載設されることを特徴とするユニットハウスの側面パネルの取り付け構造。
（３）
（１）に記載のユニットハウスの側面パネルの取り付け構造において、
前記側面パネル下端係止具は、前記フランジを係止する嵌挿部を有することを特徴とするユニットハウスの側面パネルの取り付け構造。
（４）
（１）に記載のユニットハウスの側面パネルの取り付け構造において、
前記側面パネル下端係止具は、前記側面パネルごとに、複数設けられることを特徴とするユニットハウスの側面パネルの取り付け構造。
（５）
（１）に記載のユニットハウスの側面パネルの取り付け構造において、
ユニットハウスの四つの外側面のうち前記側面パネルが取り付けられてなる外側面は、前記柱フレーム間に取り付けられた、少なくとも１枚の前記側面パネルと、少なくとも１枚の側面パネル見切り材とを備えた
ことを特徴とするユニットハウスの側面パネルの取り付け構造。
（６）
（１）に記載のユニットハウスの側面パネルの取り付け構造において、
前記側面パネルの上端は、前記側面パネル上端固定部において室内側からのボルト締結により固定されることを特徴とするユニットハウスの側面パネルの取り付け構造。
（７）
（１）に記載のユニットハウスの側面パネルの取り付け構造において、
前記フランジには複数の組み付け孔が設けられ、前記床フレームの外面には前記組み付け孔に対応する位置にボルト孔が設けられていることを特徴とするユニットハウスの側面パネルの取り付け構造。
【発明の効果】
【０００６】
本発明のユニットハウスの側面パネルの取り付け構造によれば、組み立てに際して、側面パネルの取り付けを作業員が室内側において行うことができる。
たとえば、体育館・展示場等の大空間建物の内壁面に近接して組み立てることが容易であり、当該空間の利用率を向上に貢献できる。
【図面の簡単な説明】
【０００７】
【図１】図１は、本発明にかかるユニットハウスを体育館の内壁面に近接して組み立てる場合の説明図である。  図１（Ａ）は体育館の内壁面から所定距離を隔てて床フレームを設置した様子を示す図である。  図１（Ｂ）は床フレームに床板を取り付けた様子を示す図である。  図１（Ｃ）は床フレームの四隅に柱フレームを立設した様子を示す図である。  図１（Ｄ）は柱フレームの上端を四隅とする屋根フレームを当該柱フレーム上に載置し、さらに天井材を取り付けた様子を示す図である。
【図２】図２は側面パネルを示す説明図であり、（Ａ）は正面図、（Ｂ）は側面図である。
【図３】図３は完成途中のユニットハウスを体育館の内壁面の内部側から見た図である。  図３（Ａ）は側面パネルをスライド可能に取り付けた図である。  図３（Ｂ）は側面パネルを柱フレーム要素側に寄せて２枚目の取り付けの準備をする様子を示す図である。  図３（Ｃ）は２枚目の側面パネルをスライド可能に取り付けた様子を示す図である。
【図４】図４（Ａ）は、２枚の側面パネルが、床フレーム要素と屋根フレーム要素との間の定位置に固定された状態を完成途中のユニットハウスの室外側から見た図である。  図４（Ｂ）は、同じく当該状態を完成途中のユニットハウスの室内側から見た図である。
【図５】図５は、側面パネルを適正位置に固定して取り付けた様子を示す説明図であり、図５（Ａ）は正面図、図５（Ｂ）は（Ａ）における矢視Ｆ−Ｆから見た断面図である。
【図６】図６は、側面パネル見切り材の概要を示す図であり、図６（Ａ）は斜め前方から側面パネル見切り材を見た図、図６（Ｂ）は斜め後方から側面パネル見切り材を見た図である。
【図７】図７（Ａ）は、側面パネル見切り材を取り付けた状態を完成途中のユニットハウスの室外側から見た図、図７（Ｂ）は、同じく当該状態を完成途中のユニットハウスの室内側から見た図である。
【図８】図８は、床フレーム要素と屋根フレーム要素との間に固定して取り付けられた側面パネル見切り材の取り付け状態を示す図であり、図８（Ａ）は正面図、図８（（Ｂ）は（Ａ）における矢視Ｇ−Ｇから見た部分断面図、図８（Ｃ）は（Ａ）における矢視Ｈ−Ｈから見た部分断面図である。である。
【図９】本発明におけるユニットハウスを示す図である。
【図１０】図１０は、ユニットハウスを体育館の内壁面に近づけて組み立てる場合の従来技術の説明図である。  図１０（Ａ）は体育館の内壁面から所定距離を隔てて床フレームを設置した様子を示す図である。  図１０（Ｂ）は床フレームに床板を取り付けた様子を示す図である。  図１０（Ｃ）は床フレームの四隅に柱フレームを立設した様子を示す図である。  図１０（Ｄ）は柱フレームの上端を四隅とする屋根フレームを当該柱フレーム上に載置し、さらに天井材を取り付けた様子を示す図である。
【図１１】図１１は、ユニットハウスを体育館の内壁面に近づけて組み立てる場合の従来技術の説明図であり、図１１（Ａ）は完成途中のユニットハウスの室外側から側面パネルの取り付け状態を見た図、図１１（Ｂ）は完成途中のユニットハウスの室内側から側面パネルの取り付け状態を見た図である。
【図１２】図１２は、従来のユニットハウスを示す図である。
【発明を実施するための最良の形態】
【０００８】
以下、本発明の一実施形態を体育館の入隅箇所にユニットハウスを組み立てる場合を例に説明する。
なお、以下の実施形態では、完成したユニットハウス（図９参照）に付す符号を「１」とし、完成途中のユニットハウスに付す符号を「１’」とする。
【０００９】
まず、図１（Ａ）に示すように、体育館の入隅を構成する体育館の内壁面Ｗ１，Ｗ２に近接して、矩形の金属製の床フレーム１１（四辺を構成する床フレーム要素１１１，１１２，１１３，１１４からなる）を設置する。
ここでは、距離ｓ０（ｓ０はゼロを含む）隔てて、一長辺（床フレーム要素１１１）が内壁面Ｗ１に近接し、一短辺（床フレーム要素１１４）が内壁面Ｗ２に近接するように床フレーム１１が配置されている。なお、Ｓ０は、たとえば電動工具を差し入れることができる距離（たとえば１０ｃｍ〜２０ｃｍ）とすることができる。
床フレーム要素１１１，１１２，１１３，１１４の外側面には、側面パネル下端係止具が設けられる。本実施形態では、この側面パネル下端係止具は、外側面との間でスリットを構成する帯フック１６である（図５（Ａ），（Ｂ）参照）。具体的には、この帯フック１６は、横長の金属製帯板を垂直断面がクランク形状となるように折り曲げたもので、側面パネル１７の幅よりも短く作製され、側面パネル１７が取り付けられる領域ごとに設けられている（後述する図３，図４も参照）。
なお、帯フックは断面クランク形状に限定されるものではない。さらに、側面パネル下端係止具は、側面パネルを係止できるものであれば、帯フックに限定されるものでもない。なお、本明細書において、「係止」とは、典型的には、着脱を、道具を使用せずに自在にできる状態を意味している。
また、本実施形態では床フレーム要素１１１，１１２，１１３，１１４の外側面には、後述する柱フレーム要素１２１，１２２，１２３，１２４をユニットハウス１’の室外側から取り付けるためのボルト孔、および側面パネル１７をユニットハウス１’の室外側から取り付けるためのボルト孔が形成されている。
【００１０】
図１（Ｂ）に示すように、床フレーム要素１１１，１１２，１１３，１１４が作る矩形内には、床パネル１１５が取り付けられる。なお図１（Ｂ）では床パネル１１５は５枚の床パネル要素により構成される。
【００１１】
つぎに、図１（Ｃ）に示すように床フレーム１１の四角（よすみ）に柱フレーム１２を立設する。柱フレーム１２は、柱フレーム要素１２１，１２２，１２３，１２４から構成される。
柱フレーム１２の下部はユニットハウス１’の室外側から床フレーム１１の四隅外側にそれぞれボルト締結される。
【００１２】
この後、図１（Ｄ）に示すように柱フレーム要素１２１，１２２，１２３，１２４の上端を四隅とする金属製の屋根フレーム１３（四辺を構成する屋根フレーム要素１３１，１３２，１３３，１３４からなる）を柱フレーム１２に載置する。柱フレーム要素１２１，１２２，１２３，１２４の上部はユニットハウス１’の室内側から屋根フレーム１３の四隅内側にそれぞれボルト締結される。
入隅に位置する柱フレーム要素１２１の下部は、図示しない作業員により、完成途中のユニットハウス１’の室内側から工具を室外に出して床フレーム要素１１１，１１４にボルト締結される。同じく柱フレーム要素１２１の上部も、同作業員により、完成途中のユニットハウス１’の室内側から屋根フレーム要素１３１と１３４にボルト締結される。
なお、柱フレーム要素１２２，１２３，１２４の下部および上部は完成途中のユニットハウス１’の室内側、室外側からの何れからも対応する床フレーム要素や屋根フレーム要素にボルト締結できる。
図１（Ｄ）の完成途中のユニットハウス１’では、屋根フレーム１３には天井材１３５が取り付けられている。
【００１３】
上記の組み立て工程（図１から図４参照）の後、次に述べる側面パネル１７を、床フレーム１１と屋根フレーム１３との間に取り付ける。
側面パネル１７は、図２（Ａ）の正面図および（Ｂ）の側面図に示すように、厚みを持つパネル部１７１を本体とし、下端部から下向きに幅に沿って金属製の横長フランジ１７２が形成されている。
この側面パネル１７の取り付けは、完成途中のユニットハウス１’の室内側にいる作業員が、側面パネル１７の両サイドを両手で持って行う。
図３（Ａ），（Ｂ），（Ｃ）は完成途中のユニットハウス１’を体育館の内壁面Ｗ１，Ｗ２の内部側から見た図である。
図３（Ａ）からもわかるように（図２（Ｂ）も参照されたい）、この側面パネル１７は、パネル部１７１が床フレーム要素１１４に載せられ、横長フランジ１７２が床フレーム要素１１４に設けられた帯フック１６に係止される。
図３（Ａ）では、側面パネル１７は、屋根フレーム要素１３４にはまだ固定されていないので、床フレーム要素１１４や屋根フレーム要素１３４に沿ってスライドすることができる。
【００１４】
２枚目の側面パネル１７の取り付けに際しては、図３（Ｂ）に示すように、１枚目の側面パネル１７を、柱フレーム要素１２１または１２４に密着するように移動しておく（図３（Ｂ）では柱フレーム要素１２４に密着するように移動してある）。
このとき柱フレーム要素１２１と側面パネル１７との間に生じる空き領域の幅は、
側面領域（柱部分を除く）の幅Ｄ−側面パネル１７の幅ｄ
である。
【００１５】
図３（Ｃ）に、２枚目の側面パネル１７を床フレーム要素１１４と屋根フレーム要素１３４との間にスライド可能な状態で取り付けた様子を示す。
２枚の側面パネル１７の幅２×ｄは、側面領域の幅Ｄよりも小さくなければならない。床フレーム要素１１４と屋根フレーム要素１３４に２枚目の側面パネル１７を（スライド可能な状態で）取り付ける場合、側面領域（柱部分を除く）には、当該取り付けが終わったときには、少なくとも手の平の厚さの２倍の幅（例えば６ｃｍ）の空き領域が確保されていなければならない。
【００１６】
図４（Ａ）は、２枚の側面パネル１７が、床フレーム要素１１４と屋根フレーム要素１３４との間の定位置に固定された状態を完成途中のユニットハウス１’の室外側から見た図であり、図４（Ｂ）は、同じく、当該状態を完成途中のユニットハウス１’の室内側から見た図である。図５（Ａ），（Ｂ）に参照されるように、屋根フレーム要素１３４の室内側には、側面パネル上端固定部としての組み付け孔ｈ０が設けられておりこの組み付け孔ｈ０にボルトＢが挿通されている。２枚の側面パネル１７の上端が屋根フレーム要素１３４にボルトで固定されることにより、上記定位置での固定が行われる。
図４（Ａ）および図４（Ｂ）では、柱フレーム要素１２１と一方の側面パネル１７との間、柱フレーム要素１２４と他方の側面パネル１７との間には、同幅の空き領域がそれぞれ形成されている。これらの空き領域は「見切り幅領域」であり、各空き領域の幅は見切り幅ｘと言い換えることができる。各見切り幅領域（（ｘ）を付して示す）は、本実施形態では後述するように、側面パネル見切り材１８により補填される。
なお、図４（Ａ）および図４（Ｂ）では、２つの側面パネル１７，１７間には、図示しない目地材としてのジョイナーが介在しているが、このジョイナーは側面パネル見切り材としての機能は果たしていない。ただし、ジョイナーが見切り幅領域（ｘ）の一部に置き換わるような場合には、当該ジョイナーは本発明における側面パネル見切り材となる。
本実施形態では、各見切り幅領域（ｘ）に、側面パネル見切り材１８がそれぞれ取り付けられる。側面パネル見切り材１８については図６において述べる。
【００１７】
図５（Ａ），（Ｂ）は、側面パネル１７を適正位置に固定して取り付けた様子を示す説明図である。図５（Ａ）は正面図、図５（Ｂ）は（Ａ）における矢視Ｆ−Ｆから見た断面図である。
図５（Ｂ）に示されるように、側面パネル１７の上端部にはめねじ部材１７９が内設されており、側面パネル１７の上端部は、ボルトＢにより屋根フレーム要素１３４に固定される。
側面パネル１７の下端部は図５（Ａ），（Ｂ）に示すように帯フック１６に係止されている。
図５（Ａ）にも示すように、横長フランジ１７２には組み付け孔ｈが設けられている。また、図には表れていないが、床フレーム要素１１４には組み付け孔ｈに対応する位置にボルト孔が設けられており、側面パネル１７の下部（横長フランジ１７２）はボルト締結できるようになっている。
たとえば、体育館の内壁面Ｗ１，Ｗ２（たとえば、図４（Ａ），（Ｂ）参照）に近接する側面パネル１７の下部は、床フレーム１１に固定しないので、横長フランジ１７２は床フレーム要素１１４にはボルト締結はされず、帯フック１６により係止されている。
なお，本発明では、体育館の内壁面Ｗ１，Ｗ２に面していない側の側面パネル１７については、横長フランジ１７２は、床フレーム要素１１２，１１３（たとえば，図４（Ａ），（Ｂ）参照）にボルト締結することができる。
【００１８】
図６は、側面パネル見切り材の概要を示す図であり、（Ａ）は斜め前方から側面パネル見切り材を見た図、（Ｂ）は斜め後方から側面パネル見切り材を見た図である。
側面パネル見切り材１８は、見切り幅領域の幅ｘと同じ幅で、側面パネル１７の厚さと同じ深さの断面が矩形カップ状に形成同厚の長手部材を本体１８１とし、長手部材の室内側両縁には縁フランジ１８２が形成されている。また、本体１８１の上端にはボルト螺合用のめねじ部材１８３が形成されている。
図７（Ａ）および図７（Ｂ）は、見切り幅領域（ｘ）に、金属からなる側面パネル見切り材１８を取り付けた様子を示している。本実施形態では、側面パネル見切り材１８も側面パネル１７と同様、完成途中のユニットハウス１’の室内側から取り付けられ、パネル部１７１の上端部が側面パネル上端固定部（組み付け孔）に固定されている。
図８に床フレーム要素１１４と屋根フレーム要素１３４との間に固定して取り付けられた側面パネル見切り材１８の取り付け状態を示す。図８（Ａ）は正面図、図８（Ｂ）は（Ａ）における矢視Ｇ−Ｇから見た部分断面図である。また、図８（Ｃ）は（Ａ）における矢視Ｈ−Ｈから見た部分断面図であり、側面パネル１７と柱フレーム要素１２１との間の見切り領域（ｘ）に側面パネル見切り材１８が取り付けられた様子が示されている。
本実施形態では、側面パネル見切り材１８の上端は屋根フレーム要素１３４に、完成途中のユニットハウス１’の室内側から固定されるが、側面パネル見切り材１８の下端はボルトによる固定はされない。図８（Ｂ）に示されるように、ボルトＢは組み付け孔ｈ０を通してと側面パネル見切り材１８に設けためねじ部材１８３と螺合することにより上記の固定がなされる。
ユニットハウス１’の室内側において、断面が逆Ｕ字である屋根フレーム要素１３４の下方から、屋根フレーム要素１３４に側面パネル見切り材１８の上端を挿し入れる必要がある。このことから、側面パネル１７の取り付け後における、側面パネル１７の最上端と屋根フレーム要素１３４の天面との間には、余裕距離ｅが確保されている。図８（Ｂ）からわかるように、本実施形態では余裕距離ｅは、床パネル１１５の厚さよりも大きい必要がある。
【００１９】
上記の説明では、床フレーム要素１１４と屋根フレーム要素１３４との間に側面パネル７および側面パネル見切り材１８を固定して取り付ける場合を説明したが、床フレーム要素１１２と屋根フレーム要素１３２との間にも同様に側面パネル７および側面パネル見切り材１８が固定して取り付けられる。
また、床フレーム要素１１１と屋根フレーム要素１３１との間および床フレーム要素１１３と屋根フレーム要素１３３の間にも側面パネル７および側面パネル見切り材１８がそれぞれ固定して取り付けられる。
【００２０】
図９は完成したユニットハウス１を示す図である。
図９では、床フレーム要素１１３と屋根フレーム要素１３３との間の側面パネル１７として、壁面としての機能を持つ壁面パネル１７０１のほか、窓ユニット組み込みパネル１７０２、ドアユニット組み込みパネル１７０３が使用されている。なお、側面パネル１７には、空調ユニット、配電・排管ユニット等、種々の機能を組み込むこともできる。
【符号の説明】
【００２１】
１  ユニットハウス
１’  完成途中のユニットハウス
１１  床フレーム
１２  柱フレーム
１３  屋根フレーム
１６  帯フック
１７  側面パネル
１８  側面パネル見切り材
１１１，１１２，１１３，１１４  床フレーム要素
１２１，１２２，１２３，１２４  柱フレーム要素
１３１，１３２，１３３，１３４  屋根フレーム要素
１１５  床パネル
１３５  天井材
１７１  側面パネルのパネル部
１７２  側面パネルの下部に形成された横長フランジ
１８１  側面パネル見切り材の本体
１８２  側面パネル見切り材の縁フランジ
１７９，１８３  めねじ部材
１７０１  壁面パネル
１７０２  窓ユニット組み込みパネル
１７０３  ドアユニット組み込みパネル
Ｂ  ボルト
ｅ  側面パネル見切り材と屋根フレーム要素の天面との間の余裕距離
ｈ０  屋根フレームに設けられた組み付け孔
ｈ  横長フランジに設けられた組み付け孔
Ｗ１，Ｗ２  体育館の内壁面
【図１】
2020139349.tif 000003
【図２】
2020139349.tif 000004
【図３】
2020139349.tif 000005
【図４】
2020139349.tif 000006
【図５】
2020139349.tif 000007
【図６】
2020139349.tif 000008
【図７】
2020139349.tif 000009
【図８】
2020139349.tif 000010
【図９】
2020139349.tif 000011
【図１０】
2020139349.tif 000012
【図１１】
2020139349.tif 000013
【図１２】
2020139349.tif 000014